(57)【要約】【課題】  絡み付いた毛髪を確実かつ容易に除去することのできるヘアキャッチャーを提供する。【解決手段】  縦方向櫛状の縦方向櫛部材９と、横方向櫛状の横方向櫛部材１０で構成されて排水中の毛髪を捕集し得るヘアキャッチャー７であって、縦方向櫛部材９と横方向櫛部材１０には、絡み付いた毛髪を除去するための櫛のバー９ｂ，１０ｂを貫通させる複数の孔１１ａ，１２ａを有する可動式の押出し部材１１，１２が取り付けられている。【選択図】  図５
2007046422.tif 000002
【特許請求の範囲】
【請求項１】
縦方向櫛状の縦方向櫛部材と横方向櫛状の横方向櫛部材で構成されて排水中の毛髪を捕集し得るヘアキャッチャーであって、前記縦方向櫛部材と横方向櫛部材の少なくとも一方には、毛髪を除去するための櫛のバーを貫通させる複数の孔を有する可動式押出し部材が取り付けられていることを特徴とするヘアキャッチャー。
【発明の詳細な説明】
【技術分野】
【０００１】
本発明は、浴室床面の排水枡内に設けられて毛髪を捕集し得るヘアキャッチャーに関するものである。
【背景技術】
【０００２】
従来、特許文献１に開示されているような、縦横の格子状に形成されたヘアキャッチャーが存在する。
【特許文献１】特開平８−１４４３４３号公報
【発明の開示】
【発明が解決しようとする課題】
【０００３】
従来の特許文献１に開示されているようなヘアキャッチャーでは、絡み付いた髪の毛の１本１本を取り除くことが困難で、確実に毛髪を落とすことができないという問題点があり、また、形状が複雑で手入れがしにくいという問題点があった。
【課題を解決するための手段】
【０００４】
本発明は上記従来の問題点に鑑み案出したものであって、絡んだ毛髪を確実に除去することができ、手入れが容易なヘアキャッチャーを提供せんとするものであり、その請求項１は、縦方向櫛状の縦方向櫛部材と横方向櫛状の横方向櫛部材で構成されて排水中の毛髪を捕集し得るヘアキャッチャーであって、前記縦方向櫛部材と横方向櫛部材の少なくとも一方には、毛髪を除去するための櫛のバーを貫通させる複数の孔を有する可動式押出し部材が取り付けられていることである。
【発明の効果】
【０００５】
本発明のヘアキャッチャーは、縦方向櫛状の縦方向櫛部材と横方向櫛状の横方向櫛部材で構成され、縦方向櫛部材と横方向櫛部材の少なくとも一方には、毛髪を除去するための櫛のバーを貫通させる複数の孔を有する可動式押出し部材が取り付けられていることにより、櫛部材に沿って可動式の押出し部材をスライド移動させることで、櫛部材に絡み付いた毛髪を確実に除去することができ、毛髪に触れることなく除去作業を良好に行なうことができるものとなる。
【実施例】
【０００６】
以下、本発明の実施例を図面に基づいて説明する。
図１は、浴室の斜視構成図であり、浴室１内の洗い場２の浴槽３側には凹み状に排水枡４が設けられており、図２の拡大縦断面構成図で示すように、この排水枡４の底面中央部には、垂下状に円筒状のトラップフランジ５が設けられ、このトラップフランジ５の下方に図示しないトラップが設置されるものである。
【０００７】
このトラップフランジ５には、内側へ突出して掛止鍔部５ａが形成されており、この掛止鍔部５ａ上にヘアキャッチャー７を取り外し可能に載置して、このヘアキャッチャー７で髪の毛やゴミを捕集することができるものである。
なお、排水枡４の上面には目皿６が覆設されるものである。
【０００８】
なお、図２に示すように、ヘアキャッチャー７を水平面に対し斜めに配置しておくと、ゴミＢを片面側に溜めることができ、ヘアキャッチャー７全面にゴミや髪の毛が付着して詰まってしまうのを良好に防ぐことができるものとなる。
なお、ヘアキャッチャー７は略水平状に設置したものであっても構わない。
【０００９】
本例では、このヘアキャッチャー７は、図３の使用状態図で、また図４では分解平面図で、また図５では取り外して下向きにした状態の斜視図で示すように構成されている。
ヘアキャッチャー７を説明すると、ヘアキャッチャー７は、Ｌ字状をなすＬ形フレーム８を備えており、このＬ形フレーム８は、縦フレーム８ａと横フレーム８ｂで構成されて、横フレーム８ｂは縦フレーム８ａに対し段部８ｃを介して一段低い位置に連結されている。
【００１０】
縦フレーム８ａ及び横フレーム８ｂには、それぞれ内側に凹み状に凹部８ｄ，８ｄが形成されており、それぞれの凹部８ｄ，８ｄには、対向状に一対のボス８ｅ，８ｅが内側へ突出して形成されている。
縦フレーム８ａには、上下方向に回動可能に縦方向櫛部材９が取り付けられるものであり、また、横フレーム８ｂには、横方向櫛部材１０が上下方向に回動可能に取り付けられるものである。
【００１１】
縦方向櫛部材９は、平行状に間隔をおいた５本の櫛バー９ｂ，９ｂ，９ｂ，９ｂ，９ｂを備え、この５本の各櫛バー９ｂの一端側が連結バー９ａで連結されて一体化されたものであり、連結バー９ａの両端側には凹み状に係止孔９ｃ，９ｃが形成されており、この係止孔９ｃ，９ｃ内に縦フレーム８ａのボス８ｅ，８ｅが係入されることで、縦方向櫛部材９は、縦フレーム８ａに上下方向に回動可能に取り付けられるものである。
また、横方向櫛部材１０も同様に、５本の櫛バー１０ｂ，１０ｂ，１０ｂ，１０ｂ，１０ｂが間隔をおいて平行状に設けられ、５本の櫛バー１０ｂ，１０ｂ，１０ｂが連結バー１０ａで連結されており、この連結バー１０ａを横フレーム８ｂの凹部８ｄ内に嵌め込んで上下方向に回動可能に取り付けることができるものである。
【００１２】
図３に示すように、使用状態では、横方向櫛部材１０の上面に縦方向櫛部材９が直交状に重ね合わされて配置されるものである。
なお、縦方向櫛部材９及び横方向櫛部材１０には、それぞれ押出し部材１１，１２が予め取り付けられている。
この押出し部材１１には、５個の通し孔１１ａ，１１ａ，１１ａ，１１ａ，１１ａが間隔をおいて貫通形成されており、それぞれの通し孔１１ａ，１１ａ，１１ａ内に櫛バー９ｂ，９ｂ，９ｂが通されて、押出し部材１１は櫛バー９ｂ，９ｂ，９ｂに沿ってスライド移動させることができるように構成されている。
【００１３】
同様に、横方向櫛部材１０側に取り付けられた押出し部材１２にも通し孔１２ａ，１２ａ，１２ａが形成されており、各通し孔１２ａ，１２ａ，１２ａ内に櫛バー１０ｂ，１０ｂ，１０ｂが通されており、押出し部材１２を櫛バー１０ｂ，１０ｂに沿ってスライド移動させることができるように構成されている。
なお、使用状態では、押出し部材１１は連結バー９ａ側にほぼ当接状に配置され、また、押出し部材１２は連結バー１０ａ側にほぼ当接状に配置されるものである。
【００１４】
図３のような使用状態から、ヘアキャッチャー７全体をトラップフランジ５から取り外して掃除する場合には、図５のように、縦方向櫛部材９及び横方向櫛部材１０のそれぞれの櫛バー９ｂ，１０ｂを下向き状態にして、この図５の状態で押出し部材１１，１２を下方向へスライド移動させてゆくと、押出し部材１１，１２により櫛バー９ｂ，１０ｂに絡み付いている毛髪を１本残らず良好に下方側へかき取り、或いはかき落とすことができ、毛髪に手が触れることなく、確実良好に絡み付いた毛髪を容易な作業により除去することができる。
【００１５】
なお、押出し部材１１，１２は、例えばポリプロピレンやエラストマーなどの硬質樹脂で形成しておき、通し孔１１ａ，１２ａが櫛バー９ｂ，１０ｂの外周にほぼ密着状態となり、しかも、良好にスライド移動できるように構成しておくことができる。
【００１６】
なお、本例では、Ｌ形フレーム８に縦方向櫛部材９と横方向櫛部材１０を上下動可能に取り付けて一体化したものを例示しているが、Ｌ形フレーム８を無くして、縦方向櫛部材９と横方向櫛部材１０のみを用いて、図２のように、トラップフランジ５内に縦方向櫛部材９と横方向櫛部材１０を交差状に重ね合わせて設置するようにしても良く、このような構成では、縦方向櫛部材９を先ず取り出して掃除し、次に、横方向櫛部材１０を取り出して、別々に掃除することができるものである。
【図面の簡単な説明】
【００１７】
【図１】浴室の概略斜視構成図である。
【図２】浴室の排水枡にヘアキャッチャーを設置した状態の縦断面概略構成図である。
【図３】ヘアキャッチャーの使用状態の斜視構成図である。
【図４】ヘアキャッチャーの分解平面構成図である。
【図５】ヘアキャッチャーを取り出して下向きにした状態の斜視構成図である。
【符号の説明】
【００１８】
１  浴室
２  洗い場
４  排水枡
５  トラップフランジ
７  ヘアキャッチャー
８  Ｌ形フレーム
８ａ  縦フレーム
８ｂ  横フレーム
８ｃ  段部
８ｄ  凹部
８ｅ  ボス
９  縦方向櫛部材
９ａ  連結バー
９ｂ  櫛バー
９ｃ  係止孔
１０  横方向櫛部材
１０ａ  連結バー
１０ｂ  櫛バー
１１，１２  押出し部材
１１ａ，１２ａ  通し孔
【図１】
2007046422.tif 000003
【図２】
2007046422.tif 000004
【図３】
2007046422.tif 000005
【図４】
2007046422.tif 000006
【図５】
2007046422.tif 000007